(57)【特許請求の範囲】
【請求項１】
扉取付部材の開口部コーナにあって取着される取着板部と、当該取着板部の上記開口部コーナにおける側板内壁と扉取付部材の開口部とから夫々離間した位置に配設の第１枢着不動軸により一端側を枢支した第１回動リンクと、同上取着板部の前記側板内壁から上記第１枢着不動軸よりも遠隔離間であり、かつ前記の開口部から離間した第２枢着不動軸により一端側を枢支した第２回動リンクと、前記第１回動リンクの他端側が第１枢着自由軸により一端側にて枢支されると共に、前記第２回動リンクの他端側が第２枢着自由軸により上記第１枢着自由軸の隣装位置にて枢支されている開閉扉取着用回動腕と、上記した第１、第２回動リンクの一方に装設した手動ロック部材とを具備し、前記開口部コーナの前面に添う開閉扉取着用回動腕の閉扉の状態から開扉動することにより、当該開閉扉取着用回動腕が所定開動位置まで回動して、扉取付部材の前記側板内壁からは離反して開口部から逸脱する位置に変移自在となし、上記所定開動位置にあって前記の手動ロック部材を操作することで、第１、第２回動リンクと開閉扉取着用回動腕とを相互に着脱自在であるロック状態に保持可能となし、当該ロック状態にあって開閉扉取着用回動腕に対し、開閉扉が係脱自在なるよう取り付け得るようにしたことを特徴とする着脱自在な開閉扉用ヒンジ。
【請求項２】
扉取付部材の開口部コーナにあって取着される取着板部と、当該取着板部の上記開口部コーナにおける側板内壁と扉取付部材の開口部とから夫々離間した位置に配設の第１枢着不動軸により一端側を枢支した第１回動リンクと、同上取着板部の前記側板内壁から上記第１枢着不動軸よりも遠隔離間であり、かつ前記の開口部から離間した第２枢着不動軸により一端側を枢支した第２回動リンクと、前記第１回動リンクの他端側が第１枢着自由軸により一端側にて枢支されると共に、前記第２回動リンクの他端側が第２枢着自由軸により上記第１枢着自由軸の隣装位置にて枢支されている開閉扉取着用回動腕と、上記した第２回動リンクにあって、第２枢着不動軸と第２枢着自由軸との間で同軸向きの第１軸承ピンにより回動自在に枢支した手動ロック部材とを具備し、前記開口部コーナの前面に添う開閉扉取着用回動腕の閉扉状態から開扉動することにより、当該開閉扉取着用回動腕が所定開動位置まで回動して、扉取付部材の前記側板内壁からは離反して開口部から前面側へ逸脱する位置に変移自在となし、上記所定開動位置にあって、前記の手動ロック部材を、その突出把手部の操作により第１軸承ピンにより回動することで、当該手動ロック部材に形成のフック部を前記した第１枢着自由軸に係嵌して、第１、第２回動リンクと開閉扉取着用回動腕とを相互に着脱自在であるロック状態に保持可能となし、当該ロック状態にあって開閉扉取着用回動腕に対し、開閉扉が係脱自在なるよう取り付け得るようにしたことを特徴とする着脱自在な開閉扉用ヒンジ。
【請求項３】
扉取付部材の開口部コーナ一側板内壁にあって取着される取着板部と、当該取着板部の上記開口部コーナにおける側板内壁と扉取付部材の開口部とから夫々離間した位置に配設の第１枢着不動軸により一端側を枢支した第１回動リンクと、同上取着板部の前記側板内壁から上記第１枢着不動軸よりも遠隔離間であり、かつ前記の開口部から離間した第２枢着不動軸により一端側を枢支した第２回動リンクと、前記第１回動リンクの他端側が第１枢着自由軸により一端側にて枢支されると共に、前記第２回動リンクの他端側が第２枢着自由軸により上記第１枢着自由軸の隣装位置にて枢支されている開閉扉取着用回動腕と、上記した第１回動リンクにあって、その第２回動リンク側における第１枢着自由軸寄りに、操作子により第１回動リンクの長手方向へスライド自在なるよう装填した手動ロック部材とを具備し、前記開口部コーナの前面に添う開閉扉取着用回動腕の閉扉の状態から開扉動することにより、当該開閉扉取着用回動腕が所定開動位置まで回動して、扉取付部材の前記側板内壁からは離反して開口部から前面側へ逸脱する位置に変移自在となし、上記所定開動位置にあって、前記の手動ロック部材を、その操作子の操作によりスライドすることにより第２回動リンクに設けられているロック用欠所に係嵌して、第１、第２回動リンクと開閉扉取着用回動腕とを相互に着脱自在であるロック状態に保持可能となし、当該ロック状態にあって開閉扉取着用回動腕に対し、開閉扉が係脱自在なるよう取り付け得るようにしたことを特徴とする着脱自在な開閉扉用ヒンジ。
【請求項４】
扉取付部材の開口部コーナにあって取着板部と、当該取着板部の上記開口部コーナにおける側板内壁と扉取付部材の開口部とから夫々離間した位置に配設の第１枢着不動軸により一端側を枢支した第１回動リンクと、同上取着板部の前記側板内壁から上記第１枢着不動軸よりも遠隔離間であり、かつ前記の開口部から離間した第２枢着不動軸により一端側を枢支した第２回動リンクと、前記第１回動リンクの他端側が第１枢着自由軸により一端側にて枢支されると共に、前記第２回動リンクの他端側が第２枢着自由軸により上記第１枢着自由軸の隣装位置にて枢支されている開閉扉取着用回動腕と、上記した第２回動リンクにあって、第２枢着不動軸と第２枢着自由軸との間で同軸向きの第２軸承ピンにより回動自在なるよう枢支され、かつ自由端部には係嵌凹所が形成されている手動ロック部材とを具備し、前記開口部コーナの前面に添う一側が開閉扉取着用回動腕の閉扉状態から開扉動することにより、当該開閉扉取着用回動腕が所定開動位置まで回動して、扉取付部材の前記側板内壁からは離反して開口部から前面側へ逸脱する位置に変移自在となし、上記所定開動位置にあって、前記の手動ロック部材を、そのロック用摘み部の操作により第２軸承ピンにて回動することで、当該手動ロック部材に形成の前記係嵌凹所を、第２枢着不動軸との係嵌状態から離脱回動することにより、この係嵌凹所が開閉扉取着用回動腕における他端側に設定のロック用係止ピンに係嵌自在なるよう係嵌されて、第１、第２回動リンクと開閉取着用回動腕とを相互に着脱自在であるロック状態に保持可能となし、当該ロック状態にあって開閉扉取着用回動腕に対し、開閉扉が係脱自在なるよう取り付け得るようにしたことを特徴とする着脱自在な開閉扉用ヒンジ。
【請求項５】
扉取付部材の開口部コーナにあって取着される取着板部と、当該取着板部の上記開口部コーナにおける側板内壁と扉取付部材の開口部とから夫々離間した位置に配設の第１枢着不動軸により一端側を枢支した第１回動リンクと、同上取着板部の前記側板内壁から上記第１枢着不動軸よりも遠隔離間であり、かつ前記の開口部から離間した第２枢着不動軸により一端側を枢支した第２回動リンクと、前記第１回動リンクの他端側が第１枢着自由軸により一端側にて枢支されると共に、前記第２回動リンクの他端側が第２枢着自由軸により上記第１枢着自由軸の隣装位置にて枢支されている開閉扉取着用回動腕と、上記した第１、第２回動リンクの一方に装設した手動ロック部材とを具備し、前記開口部コーナの前面に添う開閉扉取着用回動腕の閉扉状態から開扉動することにより、当該開閉扉取着用回動腕が所定開動位置まで回動して、扉取付部材の前記側板内壁からは離反して開口部から前面側へ逸脱する位置に変移自在となし、上記所定開動位置にあって前記の手動ロック部材を操作することで、第１、第２回動リンクと開閉扉取着用回動腕とを相互に着脱自在であるロック状態に保持可能となし、上記の開閉扉取着用回動腕は端面コ字状の嵌合上部と、これより垂設されて係嵌用横長孔を開設した垂下板部とからなり、一方開閉扉の扉コーナに取着された第１連結金具には扉側被嵌合部と、これに連設された平板部には一対の係止爪を縦軸ピンにより枢支すると共に当該係止爪間にコイルスプリングを張設してなる係止機構部と、上記平板部に連設の押当縦板部とを形成しておき、開閉扉取着用回動腕の嵌合上部に第１連結金具の扉側被嵌合部を嵌合することによって、係嵌用横長孔の両側端縁により一対の上記係止爪をコイルスプリングの弾力に抗して内側へ回動することで、当該係止爪を前記係嵌用横長孔内へ進入して、上記コイルスプリングの復原力により当該係止爪を係嵌用横長孔に抜け止め状態にて係止すると共に、開閉扉取着用回動腕の垂下板部に第１連結金具の押当縦板部が押当自在なるようにし、前記のロック状態にあって開閉扉取着用回動腕に対し、開閉扉が係脱自在なるよう取り付け得るようにしたことを特徴とする着脱自在な開閉扉用ヒンジ。
【請求項６】
扉取付部材の開口部コーナにあって取着される取着板部と、当該取着板部の上記開口部コーナにおける側板内壁と扉取付部材の開口部とから夫々離間した位置に配設の第１枢着不動軸により一端側を枢支した第１回動リンクと、同上取着板部の前記側板内壁から上記第１枢着不動軸よりも遠隔離間であり、かつ前記の開口部から離間した第２枢着不動軸により一端側を枢支した第２回動リンクと、前記第１回動リンクの他端側が第１枢着自由軸により一端側にて枢支されると共に、前記第２回動リンクの他端側が第２枢着自由軸により上記第１枢着自由軸の隣装位置にて枢支されている開閉扉取着用回動腕と、上記した第１、第２回動リンクの一方に装設した手動ロック部材とを具備し、前記開口部コーナの前面に添う開閉扉取着用回動腕の閉扉状態から開扉動することにより、当該開閉扉取着用回動腕が所定閉動位置まで回動して、扉取付部材の前記側板内壁からは離反して開口部から前面側へ逸脱する位置に変移自在となし、上記所定開動位置にあって前記の手動ロック部材を操作することで、第１、第２回動リンクと開閉扉取着用回動腕とを相互に着脱自在であるロック状態に保持可能となし、上記開閉扉取着用回動腕は端面コ字状の当接部と、その上板端縁から曲設した一対の受承立片と、当該受承立片間にあって上板端縁から延出された受承舌片とからなり、一方開閉扉の扉コーナに取着された第２連結金具には、取着押当板部の下端縁から延出されると共に、その延出基根箇所には一対の係嵌用凹溝が欠設された横向載置舌片とを形成しておき、開閉扉取着用回動腕の一対である受承立片に第２連結金具の上記係嵌用凹所を落入係装して横向載置舌片を前記受承舌片上に載置すると共に、前記取着押当板部を上記受承立片に押当自在となるようにし、前記のロック状態にあって開閉扉取着用回動腕に対し、開閉扉が係脱自在なるよう取り付け得るようにしたことを特徴とする着脱自在な開閉扉用ヒンジ。
【発明の詳細な説明】
【０００１】
【発明の属する技術分野】
本発明はパチンコ等における扉取付部材の開口部に対して、パチンコ機盤等による開閉扉を、必要に応じ着脱自在なるよう枢支したり、取り外すことが出来るようにした開閉扉用ヒンジに関する。
【０００２】
【従来の技術】
既知の通りパチンコ機などにあっては、図１４に例示する通り扉取付部材ａにおける開口部コーナｂにあって、その側板ｃとか底板ｄそして天板などに、ピボットヒンジｅの一部材ｅ１を取着し、一方パチンコ機盤等による開閉扉ｆにおける枠体ｇにピボットヒンジの他部材ｅ２を取着し、当該開閉扉ｆを持ち上げて一部材ｅ１に対して他部材ｅ２を嵌合軸承するようにしている。
ところが同図に例示するように側板ｃに添ってパチンコの玉貸機ｈが前面側に突出していたり、その他側板ｃの右手に各種の障害物が配設されているといった場合には、図示例ではパチンコ機盤の盤面ｉが、すぐに玉貸機ｈに衝当してしまうことになるため、持ち上げた当該開閉扉ｆは限られた範囲内でしか自由に動かすことができず、この結果開閉扉ｆに対する着脱作業に可成り難渋する欠陥がある。
【０００３】
【発明が解決しようとする課題】
本発明は上記従来のピボットヒンジなどによる難点に鑑み検討されたもので、請求項１では、扉取付部材の開口部コーナに取着される取着板部と、開閉扉を着脱自在に取り付けることのできる開閉扉取着用回動腕とを、第１回動リンクと第２回動リンクとによって適切に連枢させることによって、これを開閉扉の閉扉状態における位置から、開扉状態となる位置まで開動させることで、上記の開閉扉取着用回動腕が開口部の閉成位置から、開口部の側板より離反して行くと共に、開口部から前面側へ向けて突出する位置へと変移するように構成するのである。このようにすることで、本発明では側板から離反突出の開閉扉取着用回動腕に対して、開閉扉を取り付けることが可能となり、これにより玉貸機等の障害物があっても、当該開閉扉取着用回動腕に対し、可成り広範囲の自由度をもって開閉扉の着脱作業を行い得るようにし、これによりこの種の作業労力と効率とを飛躍的に向上しようとするのが、第１の目的である。
【０００４】
さらに当該請求項１によるときは、上記の如く開閉扉取着用回動腕が所定開動位置に達した際にあって、前記第１、第２回動リンクの一方に装設した手動ロック部材を操作することによって、これにより得られたロック状態が保持されるよう構成することで、不本意に回動してしまうことのない開閉扉取着用回動腕に対して、開閉扉を係脱自在に取付け得るようにし、かくて開閉扉の着脱を簡易迅速にして安全に行い得るようにするのが第２の目的である。
【０００５】
次に請求項２にあっては、上記請求項１の構成にあって手動ロック部材について、これを第２回動リンクにおける第２枢着不動軸と第２枢着自由軸との間にあって設けるようにし、この手動ロック部材を突出把手部の操作により第１軸承ピンにより回動することで、手動ロック部材のフック部を第１回動リンクにおける第１枢着自由軸に係嵌することで、当該ロック状態を確保自在となし、開閉扉の手動ロック部材に対する取り付けを簡易迅速に行い得るようにしている。
【０００６】
そして請求項３によるときは、上記請求項２における手動ロック部材の構成が相違しており、ここでは第２回動リンク側における第１枢着自由軸寄りに、操作子により第１回動リンクの長手方向へスライド自在なるよう装填の手動ロック部材を採用するようにし、当該操作子の操作によりスライドすることで、第２回動リンクのロック用欠所に上記の手動ロック部材を係嵌自在とすることにより、当該ロック状態を確保し得るようにし、かくして、さらにロック操作とロック解除操作を行い易くすると共に、ロック状態確保に対する信頼性をも向上するのが、その目的である。
【０００７】
請求項４の場合には、これまた請求項２、請求項３とは違った手動ロック部材を採択するようにしており、ここでは請求項１と同じく手動ロック部材を第１回動リンクに設けるが、第２軸承ピンにより回動自在な手動ロック部材を、その自由端に設けた係嵌凹所に第２枢着不動軸を係合する状態から、当該係合を手動操作により外すことで当該手動ロック部材を回動させて、上記係嵌凹所に開閉扉取着用回動腕に設けたロック用係止ピンを係嵌することで、ロック状態が得られるよう構成してあり、かくて請求項２と請求項３と同等の目的を達成しようとしている。
【０００８】
また請求項５と請求項６にあっては、何れも上記した開閉扉取着用回動腕に対して、開閉扉をどのようにして着脱自在なるよう取付け得るよう構成すべきかにつき、一つの解決を与えようとするものであり、請求項５では開閉扉取着用回動腕の嵌合上部に扉コーナに設けた第１連結金具の扉側被嵌合部を嵌合すると共に、当該第１連結金具の適切に構成した係止機構部の係止爪を、開閉扉取着用回動腕の垂下板部に設けた係嵌用横長孔に係嵌自在なるよう係止し得るようにして、開閉扉のロック状態における開閉扉取着用回動腕に対する開閉扉の取り付け、取り外し作業を簡易迅速に行い得るようにするのがその目的である。
【０００９】
そして請求項６にあっては、開閉扉取着用回動腕の上板端縁から曲設の一対である受承立片に対して、開閉扉に設けた第２連結金具の一対である係嵌用凹溝を落入係装して、これに設けた横向載置舌片を、開閉扉取着用回動腕の受承舌片に載置すると共に、上記の受承立片に第２連結金具における取着押当板部を押当自在とすることで、これまた開閉扉取着用回動腕に対する開閉扉の取着作業を簡易迅速にして、かつ信頼性の高い連結をなし得るようにするのが、その目的である。
【００１０】
【課題を解決するための手段】
本発明は、上記の目的を達成するため請求項１によるときは扉取付部材の開口部コーナにあって取着される取着板部と、当該取着板部の上記開口部コーナにおける側板内壁と扉取付部材の開口部とから夫々離間した位置に配設の第１枢着不動軸により一端側を枢支した第１回動リンクと、同上取着板部の前記側板内壁から上記第１枢着不動軸よりも遠隔離間であり、かつ前記の開口部から離間した第２枢着不動軸により一端側を枢支した第２回動リンクと、前記第１回動リンクの他端側が第１枢着自由軸により一端側にて枢支されると共に、前記第２回動リンクの他端側が第２枢着自由軸により上記第１枢着自由軸の隣装位置にて枢支されている開閉扉取着用回動腕と、上記した第１、第２回動リンクの一方に装設した手動ロック部材とを具備し、前記開口部コーナの前面に添う開閉扉取着用回動腕の閉扉の状態から開扉動することにより、当該開閉扉取着用回動腕が所定開動位置まで回動して、扉取付部材の前記側板内壁からは離反して開口部から逸脱する位置に変移自在となし、上記所定開動位置にあって前記の手動ロック部材を操作することで、第１、第２回動リンクと開閉扉取着用回動腕とを相互に着脱自在であるロック状態に保持可能となし、当該ロック状態にあって開閉扉取着用回動腕に対し、開閉扉が係脱自在なるよう取り付け得るようにしたことを特徴とする着脱自在な開閉扉用ヒンジを提供しようとしている。
【００１１】
次に請求項２にあっては、上記の請求項２に比しその相違する構成のみにつき開示すると、まず第２回動リンクにあって、第２枢着不動軸と第２枢着自由軸との間で同軸向きの第１軸承ピンにより回動自在に枢支した手動ロック部材とを具備していること、そしてさらに前記の手動ロック部材を、その突出把手部の操作により第１軸承ピンにより回動することで、当該手動ロック部材に形成のフック部を前記した第１枢着自由軸に係嵌して、第１、第２回動リンクと開閉扉取着用回動腕とを相互に着脱自在であるロック状態に保持可能としたことである。
【００１２】
また請求項３の場合には、これまた前記請求項２に比して以下の如き構成が相違点となっている。
すなわち、まず第２回動リンク側における第１枢着自由軸寄りに、操作子により第１回動リンクの長手方向へスライド自在なるよう装填した手動ロック部材とを具備していること、そしてさらに前記の手動ロック部材を、その操作子の操作によりスライドすることにより第２回動リンクに設けられているロック用欠所に係嵌して、第１、第２回動リンクと開閉扉取着用回動腕とを相互に着脱自在であるロック状態に保持可能としたことである。
【００１３】
請求項４にあっては、前掲請求項１における手動ロック部材の構成につき、そのロック用摘み部の操作により第２軸承ピンにて回動することで、当該手動ロック部材に形成の前記係嵌凹所を、第２枢着不動軸との係嵌状態から離脱回動することにより、この係嵌凹所が開閉扉取着用回動腕における他端側に設定のロック用係止ピンに係嵌自在なる用係嵌されて、第１、第２回動リンクと開閉取着用回動腕とを相互に着脱自在であるロック状態に保持可能となし、当該ロック状態にあって開閉扉取着用回動腕に対し、開閉扉が係脱自在なるよう取り付け得るようにしたことをその内容としている。
【００１４】
請求項５では、前同請求項１における開閉扉取着用回動腕なるものを特定するようにしており、当該構成は端面コ字状の嵌合上部と、これより垂設されて係嵌用横長孔を開設した垂下板部とからなり、一方開閉扉の扉コーナに取着された第１連結金具には扉側被嵌合部と、これに垂設されて平板部に一対の係止爪を縦軸ピンにより枢支すると共に当該係止爪間にコイルスプリングを張設してなる係止機構部と、上記平板部に連設の押当縦板部とを形成しておき、開閉扉取着用回動腕の嵌合上部に第１連結金具の扉側被嵌合部を嵌合することによって、係嵌用横長孔の両側端縁により一対の上記係止爪をコイルスプリングの弾力に抗して内側へ変動することで、当該係止爪を前記係嵌用横長孔内へ進入して、上記コイルスプリングの復原力により当該係止爪を係嵌用横長孔に抜け止め状態にて係止すると共に、開閉扉取着用回動腕の垂下板部に第１連結金具の押当縦板部が押当自在なるようにし、前記のロック状態にあって開閉扉取着用回動腕に対し、開閉扉が係脱自在なるよう取り付け得るようにしたことを、その内容としている。
【００１５】
さらに請求項６にあっては、これまた請求項１における開閉扉取着用回動腕なるものを特定しており、その構成内容は端面コ字状の当接部と、その上板端縁から曲設した一対の受承立片と、当該受承立片間にあって上板端縁から延出された受承舌片とからなり、一方開閉扉の扉コーナに取着された第２連結金具には、取着押当板部の下端縁から延出されると共に、その延出基根箇所には一対の係嵌用凹溝が欠設された横向載置舌片とを形成しておき、開閉扉取着用回動腕の一対である受承立片に第２連結金具の上記係嵌用凹所を落入係装して、横向載置舌片を前記受承舌片上に載置すると共に、前記取着押当板部を上記受承立片に押当自在なるようにし、前記のロック状態にあって開閉扉取着用回動腕に対し、開閉扉が係脱自在なるよう取り付け得るようにしたことにある。
【００１６】
【発明の実施の形態】
本願の請求項１について図１ないし図１２を参照して以下説示すると、まず図１ないし図５によって理解される通り扉取付部材１は、図５のように天板１ａ、底板１ｂ、左右の側板１ｃ、１ｄそして背板１ｅとによって開口部１ｆが開成されており、その上下における開口部コーナ１ｇ、１ｈにあって取着される取着板部１０が、本発明に係る着脱自在な開閉扉ヒンジの一構成部材である。そしてこの構成部材は実際上開口部１ｆにあって、一方の側板１ｃとか、天板１ａまたは底板１ｂ等に、図３、図４に示されているビス１０ａにより取着されることになる。
さらに本発明では、上記の取着板部１０に対して第１回動リンク１１と第２回動リンク１２そして開閉扉取着用回動腕１３、そして手動ロック部材１４なる構成部材が以下のように付設されている。
【００１７】
すなわち、図１によって理解される通り取着板部１０の開口部コーナ１ｇ、１ｈにおける側板内壁２と、開口部１ｆとから夫々離間して不変位置に配設された第１枢着不動軸１１ａにより、前記した第１回動リンク１１の一端側が当該取着板部１０に枢支されており、さらに同上取着板部１０の側板内壁２から上記した第１枢着不動軸１１ａよりも遠隔離間であり、しかも上記開口部１ｆから、もちろん扉取付部材の内側へ向けて離間して、不変位置に配設の第２枢着不動軸１２ａにより、前記した第２回動リンク１２の一端側が同じく取着板部１０に枢支されている。
【００１８】
さらに上記の第１回動リンク１１における他端側が、位置可変である第１枢着自由軸１１ｂによって前記した開閉扉取着用回動腕１３の一端側に枢着されていると共に、前説の第２回動リンク１２における他端側は、これまた位置可変である第２枢着自由軸１２ｂによって、上記した第１枢着自由軸１１ｂよりも開閉扉取着用回動腕１３の他端側寄りにある隣装位置にて枢支されている。そして請求項１では前掲構成部材である手動ロック部材１４が、上記した第１、第２回動リンク１１、１２の何れか一方に装設されるのである。
【００１９】
ここで上記の如き連枢された取着板部１０、第１、第２回動リンク１１、１２そして開閉扉取着用回動腕１３の相互関係につき説示すると、図１（Ａ）の如く開閉扉取着用回動腕１３が、前記開口部コーナ１ｇ、１ｈの前面に添う閉扉状態から矢印Ｆ方向の如く開扉動させることにより、この開閉扉取着用回動腕１３は、図１（Ｂ）に示す所定開動位置Ｐに達するまで回動した際、扉取付部材１の側板内壁２から離反して開口部１ｆから前面側に向け逸脱する位置へと変移することとなる。
この際望ましくは開閉扉取着用回動腕１３を、上記所定開動位置Ｐにて停止させ、それ以上の回動が阻止されるようにするのがよく、当該図示例では、そのため第２回動リンク１２に第１回動リンク１１の第１枢着自由軸１１ｂ側が衝当すると共に、第２回動リンク１２の第２枢着自由軸１２ｂ側が、開閉扉取着用回動腕１３に衝当することで回動を阻止するようにしている。
そして実際上は上記した所定開動位置Ｐにおける開閉扉ｆの開扉角度θを９５度程度に設定しておくのが、後述する開閉扉３の開閉扉取着用回動腕１３に対する取着や取り外し作業にとって望ましい結果が得られる。
【００２０】
次に前記した手動ブロック部材１４につき説示すると、これは後に詳記する請求項２、請求項３そして請求項４にあって、その各実施態様が明示されることとなるが、当該請求項１ではこれらの上位概念を示しており、上記した所定開動位置にあって、この手動ロック部材１４を操作することにより、第１、第２回動リンク１１、１２と開閉扉取着用回動腕１３とが、相互に着脱自在なるようロック状態に保持可能であれば、どのような構成のものであってもよい。
そして当該請求項１において、さらに重要なことは上記の如く所定開動位置Ｐにおける当該ロック状態にあって、一構成部材としての開閉扉取着用回動腕１３に対して、開閉扉３が作業者によって係脱自在なるよう取り付け得るように構成することである。
従って開閉扉３の取脱作業は、開閉扉取着用回動腕１３が不本意に遊動することのない停止状態で行うことができることになる。
そして当然のことながら、そのため開閉扉取着用回動腕１３の具体的構成は、開閉扉３に設けられることになる連結金具の構成に対応して各種のものが特定されることになるのが、この点については後述する請求項５、請求項６によって、その実施態様が明示される。
【００２１】
次に請求項２につき説示すると、請求項１に関する手動ロック部材１４につき以下の如き構成のものが特定されている。
すなわち図１ないし図３により理解される通り、前説の第２回動リンク１２にあって、その第２枢着不動軸１２ａと第２枢着自由軸１２ｂとの間に、同軸向きに設けた第１軸承ピン１４ａによって、回動自在なるよう枢支するようにした手動ロック部材１４を採択するようにしている。
そして当該手動ロック部材１４には、これを回動操作するための突出把手部１４ｂと、前説ロック状態とするために使用されるフック部１４ｃとが形成され、かくして突出把手部１４ｂの操作により第１軸承ピン１４ａによる手動ロック部材１４の回動によって、その上記フック部１４ｃを前記した第１枢着自由軸１１ｂに係嵌することで、第１、第２回動リンク１１、１２そして開閉扉取着用回動腕１３を相互に着脱自在であるロック状態に保持可能とするのである。
【００２２】
従って、この手動ロック部材１４を逆転するよう手動すればロック状態を解除でき、このため図示例では図１（Ｂ）に開示の如くロック状態にあって、手動ロック部材１４におけるフック部１４ｃの反対側には、ロック解除用操作部１４ｄが第２回動リンク１２から延出するようにしてある。
ここで図示例では、さらにロック状態の保持につき、その信頼性を高めるため、反転用スプリング１４ｅが手動ロック部材１４と第２回動リンク１２との間に跨設されており、このことにより、手動ロック部材１４を或程度回動させれば、反転用スプリング１４ｅにより、フック部１４ｃが自動的に第１枢着自由軸１１ｂにより確保されることになる。またロック解除の操作に際しても手動ロック部材１４は或程度逆転させることで自動的にロック状態が解かれ、かつロック状態にあっては、手動ロック部材の不本意な遊動を阻止することができる。
【００２３】
さらに請求項３につき図６ないし図９を参照して以下説示すると、これまた請求項１に係る手動ロック部材１４につき、その構成を以下の如く特定している。すなわち前説した第１回動リンクの長手方向へスライド自在なるように、第２回動リンク１２側における第１枢着自由軸１１ｂ寄りにあって、手動ロック部材１４が装填されており、図中１４ｆは外部から手動操作するために突設された操作子を示している。
さらに図９を参照して当該手動ロック部材１４につき詳記すると、第１回動リンク１１は第２回動リンク１２側の背板部１１ｃと上板部１１ｄそして下板部１１ｅとにより端面コ字状に形成され、当該上板部１１ｄそして下板部１１ｅ間に立設した一対のスライド受承ピン１１ｆと、背板部１１ｃ、上板部１１ｄそして下板部１１ｅとの間に手動ロック部材１４がスライド自在に収納されている。そして前記の操作子１４ｆを上板部１１ｄに穿設した操作用長孔１１ｇから突出させることで、当該操作子１４ｆの操作により、手動ロック部材１４を前記の如く第１回動リンク１１の長手方向へ摺動自在としてある。
【００２４】
そして上記の手動ロック部材１４を、その操作子１４ｆによる操作により、これが第１回動リンク１１から突出する方向へスライドさせることにより、前説の如く開閉扉取着用回動腕１３が所定の開扉角度θに達した状態にあって、第２回動リンク１２の背板部１２ｃに設けられたロック用欠所１２ｄに、当該手動ロック部材１４の先細りとした先端部１４ｇを貫入して係嵌し、これによって第１、第２回動リンク１１、１２と開閉扉取着用回動腕１３とを相互に着脱自在であるロック状態に保持可能となるよう構成されている。
【００２５】
請求項４にあっても、これまた請求項１における手動ロック部材１４につき、その別異である実施態様が特定されており、これにつき図１０ないし図１１を参照して以下説示する。
ここに開示の手動ロック部材１４は、前記の第２回動リンク１２にあって第２枢着不動軸１２ａと第２枢着自由軸１２ｂとの間に、同軸向きの第２軸承ピン１４ｈにより回動自在に枢支され、かつ自由端部には係嵌凹所１４ｉが形成されている。
そして当該手動ロック部材１４のロック用摘み部１４ｊによる操作により、第２軸承ピン１４ｈを中心に回動すれば、前記した手動ロック部材１４に形成の前記係嵌凹所１４ｉを、上記した第２枢着不動軸１２ａとの係嵌状態から離脱回動することにより、当該係嵌凹所１４ｉが開閉扉取着用回動腕１３における他端側に設定のロック用係止ピン１３ａに着脱自在なるよう係嵌され、このことにより第１、第２回動リンク１１、１２と開閉扉取着用回動腕１３とを相互に着脱自在であるロック状態に保持可能となるよう構成されている。ここで図１２に開示の１４ｋはロック用摘み部１４ｊで、これを操作することにより第２軸承ピン１４ｈから係嵌凹所１４ｉを離脱して、これを第２枢着不動軸１２ａに係嵌することでロック状態を解除すると共に、手動ロック部材１４の不本意な遊動を阻止することができる。
【００２６】
さて次に請求項５と請求項６にあっては、前記の請求項１にあって説示し構成内容に関し、ロック状態下にある開閉扉取着用回動腕１３に対して、開閉扉３をいかにして係脱自在に取付けるべきかの実施態様が明示されている。
すなわち、まず請求項５の場合には図３によって理解される通り、開閉扉取着用回動腕１３の構成が、端面コ字状の嵌合上部１３ｂと、これより垂設されて係嵌用横長孔１３ｃの開設された垂下板部１３ｄとを具備したものとなっている。一方開閉扉３の扉コーナ３ａには第１連結金具１５をビス１５ａなどにより取着するが、その構成は扉側被嵌合部１５ｂに連設された平板部１５ｃにあって一対の係止爪１５ｄ、１５ｄが縦軸ピン１５ｅにより枢支されており、さらに、この係止爪１５ｄ、１５ｄ間にコイルスプリング１５ｆを張設することで係止機構部１５ｇが形成されると共に、上記した平板部１５ｃには押当縦板部１５ｈが連設されている。
【００２７】
そして、開閉扉３を持ち上げ開閉扉取着用回動腕１３の前記嵌合上部１３ｂに、第１連結金具１５の扉側被嵌合部１５ｂを嵌合することにより、前説の係嵌用横長孔１３ｃにおける両方の側端縁１３ｅ、１３ｅによって、上記した係止爪１５ｄ、１５ｄをコイルスプリング１５ｆの弾力に抗して内側へ回動させることで、当該係止爪１５ｄ、１５ｄを、前記の係嵌用横長孔１３ｃ内へ進入させ、これによりコイルスプリング１５ｆの復原力によって係止爪１５ｄ、１５ｄを係嵌用横長孔１３ｃに抜け止め状態にて係止され、この際開閉扉取着用回動腕１３の垂下板部１３ｄに対して、第１連結金具１５の押当縦板部１５ｈ、１５ｈが押当される。
かくしてロック状態下にある開閉扉取着用回動腕１３に対して、開閉扉３が係脱自在に取付け得ることとなる。
【００２８】
さらに請求項６につき図４を参照して説明すると、ここに示された開閉扉取着用回動腕１３の構成は、請求項５の場合と違って、端面コ字状の当接部１３ｆと、その上板端縁１３ｇから曲折された一対の受承立片１３ｈ、１３ｈと、これらの受承立片１３ｈ、１３ｈ間にあって上板端縁１３ｇから延出された受承舌片１３ｉとを具備したものである。
これに対し開閉扉３の扉コーナ３ａにビス１６ａ等により取着される第２連結金具１６なるものは、取着押当板部１６ｂの下端縁１６ｃから延出されると共に、その延出基根箇所にあって一対の係嵌用凹溝１６ｄ、１６ｄが欠設された横向載置舌片１６ｅを形成するようにしたものである。
【００２９】
そして開閉扉３を持ち上げ開閉扉取着用回動腕１３の一対である受承立片１３ｈに、第２連結金具１６における上記係嵌用凹溝１６ｄを落入係嵌することで、横向載置舌片１６ｅを上記した受承舌片１３ｉ上に載置すると共に、前記した取着押当板部１６ｂを上記受承立片１３ｈに押当自在となるようにするのであり、かくして前記の通りロック状態下にある開閉扉取着用回動腕１３に対して、開閉扉３を係脱自在に取付け得るようにしてある。
【００３０】
【発明の効果】
本発明は以上のようにして構成されているから、請求項１によるときは、ピボットヒンジなどと相違し取着板部と第１、第２連枢回動リンクおよび開閉扉取着用回動腕とを適切に連枢して構成したものであるから、当該着脱自在な開閉扉用ヒンジを開成状態にしてやれば、開閉扉取着用回動腕は扉取付部材の側板内壁から離反して開口部から突出されることになり、図１３によって理解されるように玉貸機ｈ等の障害物があっても、同上図に示す仮想線Ｅによって示される通り、開閉扉を可成りの広範囲な空間を利用することで自由に動かし、これを開口部から突出している開閉扉取着用回動腕に着脱自在なるよう取り付けることができ、当該作業の自由度が増大することからこの種の取着作業を容易かつ迅速に行うことができる。
しかも当該請求項１では手動ロック部材を操作することで上記した開閉扉取着用回動腕を、所定開動位置にあって不動の状態に保持できるので、これに対する開閉扉の着脱作業が安心して行い得ることになり、より一層のその作業性を向上することが可能となる。
【００３１】
請求項２にあっては、請求項１における手動ロック部材につき、これを第２回動リンクに枢着して手動により回動させ、そのフック部を第１回動リンクの第１枢着自由軸に対して係嵌するよう構成したので、請求項１の前記した効果を簡易な操作により確実に発揮することができ、ロック状態の確保についても信頼性の高いものを提供することができる。
【００３２】
また請求項３によるときは、第１回動リンクに装填の手動ロック部材を操作子により直線的にスライドすることで、これを第２回動リンクのロック用欠所に貫入させるようにしたので、より一層その操作性を簡易化でき、しかもロック状態確保に対する信頼性をも向上させることが可能となる。
さらに請求項４によるときは、これも手動ロック部材に関し第２回動リンクに枢支した手動ロック部材を、これに設けた係嵌凹所と第２枢着自由軸との係嵌から、開閉扉取着用回動腕のロック用係止ピン１３ａに対する係嵌に切り換え操作自在としたので、この場合にも請求項２と請求項３と同等の効果を保証することができる。
【００３３】
請求項５にあっては開閉扉取着用回動腕に対して、開閉扉に取着の第１連結金具を横方向から押当するだけの操作で嵌合上部と扉側被嵌合部との嵌合と、係嵌用横長溝に対する係止機構部における係止爪の自動的な係合とによって、簡易迅速に開閉扉を取り付けることができ、当該取着状態も不本意な離脱の心配がない高い信頼性をもったものを提供することができる。
【００３４】
請求項６にあっては、開閉扉を落とし込むようにすることで、開閉扉取着用回動腕の受承立片に第２連結金具の係嵌用溝孔を係嵌させ、かつ受承舌片上に横向載置舌片を載置するようにしたので、これまた信頼性の高い開閉扉の取着を簡易迅速に行うことができる。そして図５に例示されているように請求項５に係る開閉扉取着用回動腕は上位の開口部コーナに用い、請求項６に係る開閉扉取着用回動腕は下位の開口部コーナに採択するようにすれば、最初に開閉扉の第２連結金具を下位側の開閉扉取着用回動腕に落とし込んで取着し、その後にあって第１連結金具を側方から横動することで、上位側の開閉扉取着用回動腕に係嵌させることができ、作業性の良い開閉扉の着脱作業を保証することができる。
【図面の簡単な説明】
【図１】（Ａ）は請求項１、２に係る着脱自在な開閉扉用ヒンジを、扉取付部材に取着して閉扉状態とした際の一部を切除して示した平面略示図で、（Ｂ）は所定開動位置にてロック状態とした際の一部を切除して示した平面略示図である。
【図２】前同開閉扉用ヒンジの所定開動位置におけるロック以前の状態を示した一部切除の平面略示図である。
【図３】扉取付部材に取着された請求項５に係る着脱自在な開閉扉用ヒンジの開閉扉取着用回動腕に、開閉扉を取着する直前状態の要部を示す斜視図である。
【図４】扉取付部材に取着された請求項６に係る着脱自在な開閉扉用ヒンジの開閉扉取着用回動腕に、開閉扉を取着する直前状態の要部を示す斜視図である。
【図５】扉取付部材に取着された請求項５と請求項６に係る着脱自在な開閉扉用ヒンジの各開閉扉取着用回動腕に、開閉扉を取着する直前状態の要部を示す斜視図である。
【図６】請求項３に係る着脱自在な開閉扉用ヒンジを、扉取着部材に取着して閉扉状態とした際の一部を切除して示した平面略示図である。
【図７】前同開閉扉用ヒンジの所定開動位置におけるロック以前の状態を示した一部切除の平面略示図である。
【図８】前同開閉扉用ヒンジの所定開動位置にてロック状態とした際の一部を切除して示した平面略示図である。
【図９】請求項３に係る手動ロック部材の装填された第１回動リンクを示し、（Ａ）はその正面図、（Ｂ）は（Ａ）のＢ−Ｂ線横断矢視図、（Ｃ）は（Ａ）の下面図である。
【図１０】請求項４に係る着脱自在な開閉扉用ヒンジを、扉取着部材に取着して閉扉状態とした際の一部を切除して示した平面略示図である。
【図１１】前同開閉扉用ヒンジの所定開動位置におけるロック以前の状態を示した一部切除の平面略示図である。
【図１２】前同開閉扉用ヒンジの所定開動位置にてロック状態とした際の一部を切除して示した平面略示図である。
【図１３】パチンコ盤である開閉扉を、パチンコ台としての扉取着部材に取着する際における当該開閉扉の取着作業につき、その作業自由度を説示するため示した平面説明図である。
【図１４】従来のピボットヒンジを用いてパチンコ台である扉取着部材に、パチンコ機盤である開閉扉を取付ける際における当該開閉扉につき、その作業自由度を説示するために示した平面説明図である。
【符号の説明】
１    扉取付部材
１ｆ  開口部
１ｇ  開口部コーナ
１ｈ  開口部コーナ
２    開閉扉
３    扉コーナ
１０    取着板部
１１    第１回動リンク
１１ａ  第１枢着不動軸
１１ｂ  第１枢動自由軸
１２    第１回動リンク
１２ａ  第２枢動不動軸
１２ｂ  第２枢動自由軸
１２ｄ  ロック用欠所
１３    開閉扉取着用回動腕
１３ａ  ロック用係止ピン
１３ｂ  嵌合上部
１３ｃ  係嵌用横長孔
１３ｄ  垂下板部
１３ｅ  側端縁
１３ｆ  当接部
１３ｇ  上板端縁
１３ｈ  受承立片
１３ｉ  受承舌片
１４    手動ロック部材
１４ａ  第１軸承ピン
１４ｂ  突出把手部
１４ｃ  フック部
１４ｆ  操作子
１４ｈ  第２軸承ピン
１４ｉ  係嵌凹所
１４ｊ  ロック用摘み部
１５    第１連結金具
１５ｂ  扉側被嵌合部
１５ｃ  平板部
１５ｄ  係止爪
１５ｅ  縦軸ピン
１５ｆ  コイルスプリング
１５ｇ  係止機構部
１５ｈ  押当縦板部
１６    第２連結金具
１６ｂ  取着押当板部
１６ｃ  下端縁
１６ｄ  係嵌用凹溝
１６ｅ  横向載置舌片
Ｐ    所定開動位置
【図１】
0004014798.tif 000002
【図２】
0004014798.tif 000003
【図３】
0004014798.tif 000004
【図４】
0004014798.tif 000005
【図５】
0004014798.tif 000006
【図６】
0004014798.tif 000007
【図７】
0004014798.tif 000008
【図８】
0004014798.tif 000009
【図９】
0004014798.tif 000010
【図１０】
0004014798.tif 000011
【図１１】
0004014798.tif 000012
【図１２】
0004014798.tif 000013
【図１３】
0004014798.tif 000014
【図１４】
0004014798.tif 000015